(57)【要約】  【課題】複数の原稿画像について，夫々の原稿画像を構成する画素数或いは原稿画像の容量を計測すると共に，計測された画素数或いは原稿画像の容量に基づいてシートへの印字出力順を決定する画像形成装置を提供する。  【解決手段】制御部は，読み取られた複数の原稿画像データの黒色画素の数を夫々計測すると共に（Ｓ４），計測された黒色画素の数と原稿画像データが記憶されているアドレスとを対応付けて記憶部に夫々記憶する（Ｓ５）。その後，黒色画素が多い順に，原稿画像データが記憶されているアドレス及び該アドレスに対応する原稿画像データを記憶部から取得すると共に（Ｓ７），取得した原稿画像データに基づく画像をシートに印字出力する（Ｓ８）。【選択図】図３
2005265931.tif 000002
【特許請求の範囲】
【請求項１】
原稿画像を読み取る原稿画像読取手段と，
該原稿画像読取手段により読み取られた上記原稿画像を構成する画素数或いは上記原稿画像の容量を計測する情報量計測手段とを具備してなる画像形成装置において，
上記原稿画像読取手段によって読み取られた複数の上記原稿画像について，上記情報量計測手段によりそれぞれの上記原稿画像を構成する画素数或いは上記原稿画像の容量を計測し，計測された上記原稿画像を構成する画素数或いは上記原稿画像の容量に基づいて上記複数の原稿画像についての印字出力順を決定する印字出力順決定手段を具備してなることを特徴とする画像形成装置。
【請求項２】
上記画像形成装置へ情報の入力を行う情報入力手段を更に具備してなる請求項１に記載の画像形成装置。
【請求項３】
上記情報入力手段から入力された情報に基づいて上記情報量計測手段によって計測される画素の種類が決定されてなる請求項２に記載の画像形成装置。
【請求項４】
上記情報入力手段から入力される情報が上記情報量計測手段によって計測される上記原稿画像を構成する画素数或いは上記原稿画像の容量を段階的に仕分ける基準となる画素数或いは原稿画像の容量であり，上記印字出力順決定手段が，上記基準となる画素数或いは原稿画像の容量に基づいて印字される原稿画像についての印字出力順をグループ化してなる請求項２に記載の画像形成装置。
【請求項５】
上記画像形成装置がモノクロ現像或いはカラー現像を行う画像形成装置である請求項１〜４のいずれかに記載の画像形成装置。
【発明の詳細な説明】
【技術分野】
【０００１】
本発明は，読み取られた原稿画像を構成する画素数を計測する機能を備えた画像形成装置に係り，特に，複数の原稿画像について，夫々の原稿画像を構成する画素数或いは原稿画像の容量を計測すると共に，計測された画素数或いは原稿画像の容量に基づいてシートへの印字出力順を決定する画像形成装置に関するものである。
【背景技術】
【０００２】
従来，複写機，プリンタ，ファクシミリ，或いはその複合機として構成される画像形成装置には，読み取られた原稿画像から適宜の情報を取得し，その取得した情報を用いて各種処理が行われるものが存在する。例えば，特許文献１に示される画像形成装置の場合，該画像形成装置でのトナー補給量の制御に，読み取った原稿画像の階調データであるドットカウンタ値が用いられている。また，特許文献２に示される画像形成装置の場合，該画像形成装置が備える画像認識部によって原稿の画像データからページ番号に対応する画像データが認識されると，原稿の読み取りがページ順でなくとも，上記画像形成装置の内部で読み取った原稿の画像データをページ順に並び替えて（降順或いは昇順）シートへ印字出力している。
一方，画像形成装置の普及に伴って，原稿の画像を画像形成装置で別のシートに印字する，即ち原稿をコピーすることによって，原稿は保管しておいて，実際の業務にはコピーしたもの（以下，コピー資料という）を用いることが多くなってきている。このことから，最近では，単に原稿をコピーする機能のみでなく，原稿をコピーして得られた上記コピー資料が利用者にとって扱いやすいものに加工する機能をも備えた画像形成装置が求められている。このような画像形成装置としては，上記した特許文献２に示されるような画像形成装置が一例として挙げられる。
【特許文献１】特開１９９６−２４８７６０号公報
【特許文献２】特開２００３−２３４８５８号公報
【発明の開示】
【発明が解決しようとする課題】
【０００３】
ところで，例えばアンケートやレポートのように，枚数が多量であり，しかもデータ整理を必要とする資料の場合，上記したようなコピー資料を用いてデータ整理を行う際には，多量の原稿をコピーした後にデータ整理が行われるため，作業が長時間に及ぶということは想像に難くない。特に，アンケート等の被験者によって記入量が異なる資料の場合，データ整理を行う以前に資料の選別を行う作業が必要である。この作業は被験者の数が多いほど，即ちアンケート量が多いほど煩雑な作業となり，データを整理する者に多大な負荷を与えてしまう問題があった。この場合，例えば，原稿をコピーする際に原稿の記載量（例えばアンケートの場合は記入量）が多い順，或いは少ない順に画像データを並び替えてシートに印字出力する機能を備えた画像形成装置であれば，上記した問題は解消される。しかしながら，上記特許文献２に示される画像形成装置は，シートに印字出力される画像データの順番の並び替えを行ってはいるが，並べ替えの条件がページ順であり，上記したようなアンケートの並べ替えや，画像データのようにデータ量の多いデータとテキストのようにデータ量の少ないデータとの仕分け等の原稿画像に対する適宜の仕分け業務に適用することができない。
従って，本発明は上記事情に鑑みてなされたものであり，その目的とするところは，複数の原稿画像について，夫々の原稿画像を構成する画素数或いは原稿画像の容量を計測すると共に，計測された画素数或いは原稿画像の容量に基づいてシートへの印字出力順を決定する画像形成装置を提供することにある。
【課題を解決するための手段】
【０００４】
上記目的を達成するために本発明は，原稿画像を読み取る原稿画像読取手段と，該原稿画像読取手段により読み取られた上記原稿画像を構成する画素数或いは上記原稿画像の容量を計測する情報量計測手段とを具備してなる画像形成装置において，上記原稿画像読取手段によって読み取られた複数の上記原稿画像について，上記情報量計測手段によりそれぞれの上記原稿画像を構成する画素数或いは上記原稿画像の容量を計測し，計測された上記原稿画像を構成する画素数或いは上記原稿画像の容量に基づいて上記複数の原稿画像についての印字出力順を決定する印字出力順決定手段を具備してなることを特徴とする画像形成装置として構成される。
【０００５】
上記画像形成装置については，上記画像形成装置へ情報の入力を行う情報入力手段を更に具備してなることが望ましい。
この場合，上記情報入力手段から入力された情報に基づいて上記情報量計測手段によって計測される画素の種類が決定されることがあり得る。
また，上記情報入力手段から入力される情報が上記情報量計測手段によって計測される上記原稿画像を構成する画素数或いは上記原稿画像の容量を段階的に仕分ける基準となる画素数或いは原稿画像の容量である場合には，上記印字出力順決定手段が，上記基準となる画素数或いは原稿画像の容量に基づいて印字される原稿画像についての印字出力順をグループ化することがある。
【０００６】
尚，上記画像形成装置については，モノクロ現像を行う画像形成装置であってもよいし，カラー現像を行う画像形成装置であってもよい。
【発明の効果】
【０００７】
以上説明したように本発明では，上記画像形成装置が備える上記印字出力順決定手段が，上記原稿画像読取手段によって読み取られた複数の上記原稿画像について，上記情報量計測手段によりそれぞれの上記原稿画像を構成する画素数或いは上記原稿画像の容量を計測し，計測された上記原稿画像を構成する画素数或いは上記原稿画像の容量に基づいて上記複数の原稿画像についての印字出力順を決定している。即ち，上記画像形成装置では，上記原稿画像を構成する画素の種類順（例えばアンケートに対する記入量順），或いは上記原稿画像を構成する画素数或いは上記原稿画像の容量がグループ化された順にシートに印字することができる。
このことから，例えばアンケートの並べ替えを行う際に，アンケートに対する記入量の多い順（或いは少ない順）に目視で確認しながら並び替えるといった煩雑な作業をする必要がなくなるので，利用者の作業量を軽減することができる。また，例えば画像データのようにデータ量の多いデータとテキストのようにデータ量の少ないデータとの仕分け等の上記原稿画像に対する適宜の仕分け業務に適用することもできる。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態（以下，本実施形態例という）に係る画像形成装置Ｘの概略断面図，図２は本実施形態例に係る画像形成装置Ｘの制御系統における主要部の構成ブロック図，図３は本実施形態例に係る画像形成装置Ｘが備える制御部３０が実施する計測された画素数順に複数の原稿を印字する処理を示したフローチャートである。
尚，本発明の一例として挙げられる画像形成装置Ｘは，モノクロ現像の画像形成装置であるが，カラー現像の画像形成装置であっても本発明は適用し得る。また，画像形成装置Ｘにおける現像方式については，乾式或いは湿式トナーを用いたものでもよいし，インクジェット方式でもよい。更に，画像形成装置Ｘについては，単独で印刷処理が実施される画像形成装置でもよいし，ネットワークを介して外部端末などからのデータ信号を受信することによって印刷処理が実施される画像形成装置でもよい。
【０００９】
先ず，図１を用いて，本発明の実施形態にかかる画像形成装置Ｘの構成について説明する。
画像形成装置Ｘには，画像を印字するシートを収容した複数の給紙カセット５が着脱可能に設けられている。また，給紙カセット５の上方には両面ユニット６が配置され，その上方には読み取られた原稿の画像データを印字するための画像形成部７が設けられている。この画像形成部７の側部には，転写紙などのシートにトナーを定着させる定着装置２０が設けられ，その上部には画像を読み取るスキャナ８（本発明における原稿画像読取手段の一例），自動原稿搬送装置（以下，ＡＤＦという）９が取り付けられている。
上記画像形成部７には，像担持体である感光体ドラム１１の周囲に帯電装置１２，現像装置１３，及びクリーニング装置１４が配置された作像ユニット１５が設けられており，下方には感光体ドラム１１に対向して転写装置１６が配置されている。
上記感光体ドラム１１は，例えば直径８４ｍｍのアルミ円筒の表面に感光層が形成されており，図１において時計方向に回転駆動される。また帯電装置１２は，回転する感光体ドラム１１の表面をコロナ放電により数百Ｖに帯電させている。この帯電装置１２よりも観光体ドラム１１の回転方向下流側には，ＬＥＤアレイヘッドとセルフォックレンズ等から構成される露光装置１８が設けられており，該露光装置１８が感光体ドラム１１の表面を露光することで静電潜像が形成される。尚，この露光装置１８の発光出力の制御に用いられる画像データについては画像処理部４から出力されている。
【００１０】
また，画像形成装置Ｘの本体上面には，液晶タッチパネル等の表示操作部３（本発明における情報入力手段の一例）が配置されており，この表示操作部３には複数のボタンやスイッチ等が設けられている。これらのボタンやスイッチ等を利用者が操作することによって，画質設定，変倍率設定，印字に用いられるシートの選択（即ち給紙カセット５の選択），或いは後述するシートへの印字出力順の設定（以下，印字出力順の設定という），仕分けの基準となる閾値の入力等の画像形成装置Ｘへの各種の設定を行うことが可能になっている。
ここで，上記印字出力順の設定とは，例えば原稿が前記したようなアンケートである場合，アンケートの記入量が多い順（或いは少ない順）にシートへ印字出力をするという設定のことを指している。このアンケートの記入量が多い順とは，言い換えると，原稿の画像データ（以下，原稿画像データという）から計測された黒色画素数が多い順ということである。一方，画像形成装置Ｘはモノクロ現像を行う画像形成装置であるが，カラー現像を行う画像形成装置の場合だと，上記印字出力順の設定とは，例えば色分けされたグラフが記載されている資料の印字を行う際に，グラフ中の赤色が示すデータ量が多い順（即ち，上記原稿画像データから計測された赤色画素数が多い順）にシートへ印字出力するという設定のことを指している。尚，上記グラフがデータが複数色で表されており，例えば赤色→青色→黄色の順でシートに印字するように，利用者が表示操作部３から上記印字出力順の設定を行った場合は，上記原稿画像データから指定された色の画素数を夫々計測すると共に，計測された夫々の色の画素数から赤色画素→青色画素→黄色画素の順でシートに画像を印字する処理が，画像形成装置が備える制御部によって実施される。
また，上記仕分けの基準値となる閾値とは，全ての原稿の画像データに対して，各原稿の画像データに含まれる画素数を計測すると共に，基準となる画素数Ｎ1，Ｎ2，Ｎ3…で段階的に仕分ける時の上記基準となる（即ち閾値となる）画素数Ｎ1，Ｎ2，Ｎ3…のことを言う。尚，本実施形態例における上記仕分けの基準値となる閾値は原稿画像における画素数に基づいて設定されているが，原稿画像の容量（即ち原稿画像におけるデータ容量）に基づいて設定されても良い。
このように，画像形成装置Ｘにおけるシートへ印字出力をする順番については，例えば，アンケートの並べ替えのように連続的な順番でもよいし，上記仕分けの基準値となる閾値を設けることによって，多段階に仕分けるような順番でもよい。
【００１１】
以下，読み取られた原稿の画像のシートへ印字する際の画像形成装置Ｘの動作について説明する。
まず，画像形成装置Ｘの原稿台に載置された原稿を光源であるスキャナ８が走査すると，その原稿の反射光はミラーを介してＣＣＤ１０（Charge−Coupled Device；画像信号を電気信号に変換するデバイス）へ入射され，ここでＡ／Ｄ変換されて上記原稿画像データとして画像処理部４に入力される。次に，この入力された上記原稿画像データは，画像処理部４で適宜の画像処理が施される。尚，この画像処理部４で実施される画像処理については後述する。
画像処理部４にて画像処理が施された後の上記原稿画像データが露光装置制御手段１９に入力されると，入力された上記原稿画像データに従った露光が行われるように，露光装置制御手段１９が露光装置１８を制御する。
また，現像装置１３では現像ローラ（不図示）が回転すると，該現像ローラ表面に形成された磁気ブラシが感光体ドラム１１表面に接触した際に，感光体ドラム１１の表面に形成された静電潜像に対して帯電したトナーが付着し，感光体ドラム１１の表面にトナー画像が形成される。また，転写装置１６において，給紙カセット５から搬送ローラにより搬送されたシートが，感光体ドラム１１と該感光体ドラム１１の周速と同じ速度で移動する転写ベルト１７との間に扶持された状態で搬送されながら帯電することによって，感光体ドラム１１の表面に形成されたトナー画像が上記シートに転写される。尚，画像形成装置Ｘが備える転写装置１６は，転写ベルトを用いたものが採用されているが，これを転写ローラに置き換えることも可能である。
【００１２】
転写装置１６の下流側にはクリーニング装置１４が配置されており，このクリーニング装置１４にて感光体ドラム１１の表面上に残留したトナーや他の付着物が除去される。
また，トナー画像が転写されたシートについては，更に搬送方向下流側に設けられた，定着ローラ１及びこれに対向する加圧機構を備えた加圧ローラ２から構成される定着装置２０へ運ばれる。この定着装置２０に搬送されてきたシートに付着しているトナー画像は，定着ローラ１と加圧ローラ２との間を上記シートが通過する間に，定着ローラ１の熱によってトナー画像が溶融定着されると共に，加圧ローラ２によりシートが定着ローラ１に押し付けられることにより，シートへ定着される。尚，トナー画像が定着されたシートについては，その後，シート処理装置Ｂ側へ送出され，所定の処理が施された後，所定のシート排出口から排出される。
【００１３】
ここで，図２を用いて，画像形成装置Ｘの制御系統における主要部の構成について説明する。
画像形成装置Ｘ全体は，各種演算処理を行うＣＰＵや，半導体メモリであるＲＯＭ，ＲＡＭ等から構成される制御部３０によって制御される。この制御部３０は，表示操作部３，画像処理部４，スキャナ８，及び，画像データや画像処理部４で実施される適宜の処理内容に関する情報等を記憶する記憶部３３等から構成されており，所定のバスで各々の装置が接続されることによって，各々の装置間でのデータの送受信が可能になっている。また，制御部３０は，半導体メモリ等に格納された所定のプログラム（情報量計測機能３１，印字出力順決定機能３２等）が実行されることで，スキャナ８により読み取られた複数の原稿画像について夫々の画素数を計測すると共に，それらの計測された画素数に基づいて複数の原稿画像についての印字出力順を決定する処理が実施される。詳しくは後述する。
また記憶部３３には，スキャナ８で読み取った原稿画像から生成される上記原稿画像データを記憶する第１の記憶部３４，上記原稿画像データから計測された画素数と第１の記憶部３４における上記原稿画像データが記憶されているアドレスとを対応付けて記憶する上記第２の記憶部３５，計測される画素の色に関する情報を記憶する第３の記憶部３６等が設けられている。尚，第３の記憶部に記憶される画素の色に関する情報とは，上記原稿画像データの１画素分のＲＧＢ値で表される色について，どのＲＧＢ値の範囲を認識対象画素とするのかという情報のことを示している。また，画像形成装置Ｘはモノクロ現像を行うため，黒色画素に関する情報のみ記憶されるが，カラー現像を行う画像形成装置であると上記画素の色に関する情報については，想定される色毎に複数記憶される。
【００１４】
次に，図３のフローチャートを用いて，画像形成装置Ｘが備える制御部３０が実施する計測された画素数順に複数の原稿を印字する処理について説明する。
本処理は，例えば，多量のアンケートを印字する際に，利用者が，前記した表示操作部３からアンケートへの記入量が多い順にシートへ印字出力をするという設定を行った場合に，夫々のアンケートの画像データから計測された黒色画素数が多い順にシートへ印字出力を行うものである。
ここで本処理の前提として，利用者が，表示操作部３からアンケートへの記入量が多い順にシートへ印字出力をするという設定を予め行っているものとする。また前記第３の記憶部３６には，上記したような黒色画素の色に関する情報（以下，画素情報という）が予め記憶されているものとする。
尚，本処理は，例えば，表示操作部３に設けられた不図示のスタートボタンが押下されると起動される。
以下の説明中に記載されるＳ１，Ｓ２，…は処理手順（ステップ）の番号を表している。
【００１５】
表示操作部３に設けられたスタートボタンが利用者によって押下されたことを入力信号から検知すると，制御部３０は，先ずスキャナ８を用いて不図示の原稿台に載置された原稿の画像を読み取る（Ｓ１）。そして，読み取った原稿の画像をＣＣＤ１０にてＡ／Ｄ変換し，画像データ（以下，原稿画像データという）を生成した後（Ｓ２），前記第１の記憶部３４に一時的に記憶させる（Ｓ３）。また制御部３０は，第１の記憶部３４に記憶された上記原稿画像データに対して，第３の記憶部３６に記憶された上記画素情報に基づいて黒色画素の数を計測する（Ｓ４）。尚，この画素数の計測については，前記特許文献１に開示されている技術を始めとする従来の技術を用いているので，ここでは説明を省略する。
上記原稿画像データの全領域に対する黒色画素の数の計測が終了すると，計測された黒色画素の数と第１の記憶部３４における上記原稿画像データが記憶されているアドレスとを対応付けて前記第２の記憶部３５に記憶する（Ｓ５）。尚，黒色画素の数と対応付けて第２の記憶部３５に記憶する情報については，第１の記憶部３４における上記原稿画像データが記憶されているアドレスに限らず，上記原稿画像データを識別できるものであればどのような情報でもよい。またカラー現像の場合は，利用者により設定されたシートへ印字出力順に関与する全ての色と，上記原稿画像データとを対応付けて第２の記憶部３５に記憶する。
その後，制御部３０は，読み取り処理が行われていない原稿が存在するか否か，即ち上記原稿台等に原稿が残っているか否かを判別する。そして，上記原稿台等に原稿が残っていると判別すると上記ステップＳ１の処理に戻り，上記原稿台等に原稿が残っていないと判別すると続くステップＳ７の処理を行う。
続くステップＳ７の処理において，制御部３０は，上記ステップＳ５の処理で記憶された第２の記憶部３５から，黒色画素が多い順に上記原稿画像データが記憶されているアドレスを取得すると共に，そのアドレスに対応する上記原稿画像データを第１の記憶部３４から取得し（Ｓ７），その取得した上記原稿画像データに基づく画像をシートに印字出力する（Ｓ８）。その後，制御部３０は，第１の記憶部３４に記憶される原稿画像データについての印字が全て終了するまで，黒色画素の数が多い順に，上記ステップＳ７及びステップＳ８の処理を繰り返す（Ｓ９のＹｅｓ側→Ｓ７→Ｓ８）。そして，第１の記憶部３４に記憶される原稿画像データについての印字が全て終了すると本処理を終了する（Ｓ９のＮｏ側）。この時，第１の記憶部３４及び第２の記憶部３４に記憶されている画像データ等の情報については，夫々の記憶部から消去される。
尚，本処理における上記ステップＳ４の処理については情報量計測機能３１（本発明における情報量計測手段の一例），また，上記ステップＳ７及びＳ８の処理については印字出力順決定機能３２（本発明における印字出力順決定手段の一例）を，制御部３０が夫々用いることにより実施される。
【実施例】
【００１６】
以上に説明した実施形態例では，図３のフローチャートに示されるような，複数の原稿画像を連続的な画素数順にシートへ印字する場合を述べた。しかし，複数の原稿画像をシートへ印字する順番については，上述した連続的な画素数順以外に，前記仕分けの基準値となる画素数の閾値（Ｎ1，Ｎ2，Ｎ3…）を設けることによって多段階に仕分けるものが考えられる。以下，複数の原稿画像を多段階に仕分けた順にシートへ印字する場合について，図４のフローチャートを用いて説明する。
本処理は，多量の原稿を印字する際に，利用者が，前記した表示操作部３から原稿画像における画像データ量が少ない順にシートへ印字出力をするという設定を行った場合に，原稿画像におけるデータ量が少ない順（即ち，例えば画像データの画素数がＮ1，Ｎ2，Ｎ3…の順）にシートへ印字出力を行うものである。
ここで本処理の前提として，利用者が，表示操作部３から原稿画像における画像データ量が多い順にシートへ印字出力をするという設定を予め行っているものとする。また，上記仕分けの基準値となる画素数の閾値（Ｎ1＜Ｎ2＜Ｎ3…）については，利用者が表示操作部３から予め入力しているものとし，該入力された閾値は，前記第３の記憶部３６に記憶されるものとする。尚，上記仕分けの基準値となる画素数の閾値については，直接数値で画素数の入力を行わなくとも，例えば○の数５個，×の数４個，或いは△の数５個等を利用者が表示操作部３から入力することによって，○，×，△の画素数に応じて閾値を自動計算すると共に，自動計算をした夫々の閾値を上記前記第３の記憶部３６に記憶してもよい。
以下の説明中に記載されるＳ１，Ｓ２，…は処理手順（ステップ）の番号を表している。尚，図４に示されるステップＳ２０〜ステップＳ２５の処理は，上記ステップＳ１〜ステップＳ６の処理と同様であるので，ここでは説明を省略する。
【００１７】
ステップＳ２５の処理で上記原稿台等に原稿が残っていないと判別すると，制御部３０は，ステップＳ２４の処理にて前記第２の記憶部３５に記憶された情報（即ち，計測された画素数ＮXと第１の記憶部３４における上記原稿画像データが記憶されているアドレスとを対応付けたもの）から，画素数ＮXがＮ1以下の原稿画像データを抽出すると共に，上記情報に「ＩＮＤＥＸ１」を付与した後，前記第２の記憶部３５に再記憶させる（Ｓ２６）。その後，同様に，前記第２の記憶部３５に記憶された情報から，画素数ＮXがＮ1＜ＮX≦Ｎ2，Ｎ2＜ＮX≦Ｎ3…である情報を夫々抽出すると共に，夫々抽出した上記情報に「ＩＮＤＥＸ２，ＩＮＤＥＸ３…」を夫々付与した後，前記第２の記憶部３５に再記憶させる（Ｓ２７）。尚，このステップＳ２７の処理については，上記仕分けの基準値となる画素数の全ての閾値に対して実施される。
また制御部３０は，上記ステップＳ２７の処理を上記仕分けの基準値となる画素数の全ての閾値に対して実施すると，前記第２の記憶部３５に記憶されるＩＮＤＥＸ１，ＩＮＤＥＸ２，ＩＮＤＥＸ３…の順に上記原稿画像データが記憶されているアドレスを取得すると共に，そのアドレスに対応する上記原稿画像データを第１の記憶部３４から取得し，その取得した上記原稿画像データに基づく画像をシートに印字出力する（Ｓ２８）。そして，第１の記憶部３４に記憶される原稿画像データについての印字が全て終了すると本処理を終了する。この時，第１の記憶部３４及び第２の記憶部３４に記憶されている画像データ等の情報については，夫々の記憶部から消去される。
ここで，上記したＩＮＤＥＸ１，ＩＮＤＥＸ２，ＩＮＤＥＸ３…については，上記ステップＳ２８の処理にてシートに印字する順を識別できるような情報であれば，どのような情報でもよい。
尚，本処理における上記ステップＳ２３の処理については情報量計測機能３１（本発明における情報量計測手段の一例），また，上記ステップＳ２６〜Ｓ２８の処理については印字出力順決定機能３２（本発明における印字出力順決定手段の一例）を，制御部３０が夫々用いることにより実施される。
【図面の簡単な説明】
【００１８】
【図１】本発明の実施の形態に係る画像形成装置Ｘの概略断面図。
【図２】本発明の実施の形態に係る画像形成装置Ｘの制御系統における主要部の構成ブロック図。
【図３】本発明の実施の形態に係る画像形成装置Ｘが備える制御部３０が実施する計測された画素数順に複数の原稿を印字する処理を示したフローチャート。
【図４】本発明の別の実施例に係る画像形成装置Ｘが備える制御部３０が実施する原稿の画像データ量が少ない順に複数の原稿を印字する処理を示したフローチャート。
【符号の説明】
【００１９】
１…定着ローラ
２…加圧ローラ
３…表示操作部
４…画像処理部
５…給紙カセット
６…両面ユニット
７…画像形成部
８…スキャナ
９…自動原稿搬送装置（ＡＤＦ）
１０…ＣＣＤ
１１…感光体ドラム
１２…帯電装置
１３…現像装置
１４…クリーニング装置
１５…作像ユニット
１６…転写装置
１７…転写ベルト
１８…露光装置
１９…露光装置制御手段
２０…定着装置
３０…制御部
３１…情報量計測機能
３２…印字出力順決定機能
３３…記憶部
３４…第１の記憶部
３５…第２の記憶部
３６…第３の記憶部
【図１】
2005265931.tif 000003
【図２】
2005265931.tif 000004
【図３】
2005265931.tif 000005
【図４】
2005265931.tif 000006